(57)【要約】【課題】チンガードを上昇させた状態におけるロック性能を向上させたヘルメットを得る。【解決手段】チンガードの基端部に設けられた孔部８６に形成されたカム面８８にヘルメット本体に取り付けられた軸部材９０の複数の接触子９６Ａ〜９６Ｃが当接されている。チンガードをヘルメット本体に対して全閉位置から全開位置に回転させると、少なくとも１つの接触子９６Ａが係止面１１２に当接し、同時に、別の少なくとも１つの接触子９６Ｃが凹部１２２へ嵌入することにより、チンガードがヘルメット本体に対して固定される。【選択図】図１３
2018193657.tif 000002
【特許請求の範囲】
【請求項１】
ヘルメット本体の外側面に固定され、外周面に複数の接触子が形成された支持軸と、
基端部に前記支持軸が挿入される支持孔が形成され、ヘルメット装着者の顎を保護する全閉位置と、前記ヘルメット装着者の視界を拡大する全開位置との間で、前記支持孔に挿入された前記支持軸周りに回転可能に取り付けられ、前記支持孔の内周面に、回転に伴って前記接触子との接触位置が変化するカム面が形成されたチンガードと、
を備えたヘルメットであって、
前記カム面は、前記チンガードが前記全開位置の直前まで回転された場合に、回転に伴って前記接触子の少なくとも１つが当接されることにより前記チンガードの回転方向と反対方向に抵抗を与える係止面と、
前記チンガードが前記全開位置の直前を越えて前記全開位置まで回転された場合に、前記接触子の少なくとも１つが嵌入され前記チンガードを前記全開位置で固定する凹部と、
を有し、
前記チンガードが前記全開位置まで回転すると、少なくとも1つの前記接触子がカム面の前記係止面に当接した状態のまま、別の少なくとも１つの前記接触子が前記凹部に嵌入することによって、前記チンガードを固定するヘルメット。
【請求項２】
前記カム面は、前記チンガードが前記全閉位置から前記全開位置方向に回転された場合に、回転に伴って前記接触子の少なくとも１つが当接されることにより前記チンガードを前方方向に押し出す偏心面をさらに有する請求項１記載のヘルメット。
【請求項３】
前記支持軸は、前記ヘルメット本体の外側面に取り付けられる支持板と、前記チンガードの前記基端部を挟んで支持板に取り付けられ、前記基端部の支持孔に形成されたカム面に当接される前記接触子が外周面に形成された軸部材と、を備える請求項１又は２記載のヘルメット。
【請求項４】
前記基端部には、前記支持板側に突出した突起部が形成されており、前記支持板の前記基端部側の面には前記チンガードが全開位置の直前になったときに前記突起部が係止される仮係止凹部が形成されている請求項３記載のヘルメット。
【請求項５】
前記基端部には、前記支持板側に突出した突起部が形成されており、前記支持板の前記基端部側の面には前記チンガードが全開位置になったときに前記突起部が嵌合される本係止凹部が形成されている請求項３又は４記載のヘルメット。
【発明の詳細な説明】
【技術分野】
【０００１】
本発明は、ヘルメットに関する。
【背景技術】
【０００２】
従来、フルフェイスのヘルメットは、前方側に開口部が形成されたヘルメット本体に対して、ヘルメット本体に左右の側部に形成された軸部を回転中心として回転可能に支持されたチンガードを備えたものが提案されている。これは、装着者が喫煙や飲食をする際、ヘルメットを脱がなくても良いという利点がある。
【０００３】
例えば、特許文献１には、チンガード支持機構が、チンガードをヘルメット本体に対して偏心しながら回転させることにより、回転時にチンガードとヘルメット本体とが干渉することを防止することが記載されている。また、チンガードを上側に回転させてヘルメット本体の開口部を開放させた場合に、チンガードが意図せずに下側に落下しないように係合ピンが係止部に係止されるロック機構を設けていることが記載されている。
【先行技術文献】
【特許文献】
【０００４】
【特許文献１】特開２０１３-７９４５９号公報
【発明の概要】
【発明が解決しようとする課題】
【０００５】
ところが、ユーザーはスクーター等に乗る場合に、フルフェイスのチンガードをヘルメット本体の上部に位置させてヘルメット本体の開口部を開放させて乗ることがある。これは、特許文献１記載の発明意図を超えた利用方法であり、乗車時にチンガードの落下を確実に防止するためには、ロック性能の一層の向上が求められる。
【０００６】
本発明は上記事実を考慮し、チンガードを全開させた場合のロック性能を向上させたヘルメットを得ることが目的である。
【課題を解決するための手段】
【０００７】
請求項１記載のヘルメットは、ヘルメット本体の外側面に固定され、外周面に複数の接触子が形成された支持軸と、基端部に前記支持軸が挿入される支持孔が形成され、ヘルメット装着者の顎を保護する全閉位置と、前記ヘルメット装着者の視界を拡大する全開位置との間で、前記支持孔に挿入された前記支持軸周りに回転可能に取り付けられ、前記支持孔の内周面に、回転に伴って前記接触子との接触位置が変化するカム面が形成されたチンガードと、を備えたヘルメットであって、前記カム面は、前記チンガードが前記全開位置の直前まで回転された場合に、回転に伴って前記接触子の少なくとも１つが当接されることにより前記チンガードの回転方向と反対方向に抵抗を与える係止面と、前記チンガードが前記全開位置の直前を越えて前記全開位置まで回転された場合に、前記接触子の少なくとも１つが嵌入され前記チンガードを前記全開位置で固定する凹部と、を有し、前記チンガードが前記全開位置まで回転すると、少なくとも1つの前記接触子がカム面の前記係止面に当接した状態のまま、別の少なくとも１つの前記接触子が前記凹部に嵌入することによって、前記チンガードを固定する。
【０００８】
請求項１記載のヘルメットによれば、チンガードの基端部に設けられた支持孔にヘルメット本体の外側面に固定された支持軸が挿入されており、支持軸回りにチンガードが全閉位置と全開位置の間で回転可能とされている。支持軸には、チンガードの回転時に支持孔の内周面に形成されたカム面に少なくとも１つが当接状態を維持する複数の接触子が形成されている。ここで、支持軸回りにチンガードが全閉位置から全開位置に向かって回転すると、接触子の少なくとも１つがカム面上を相対的に移動する。すなわち、ヘルメット前方側を全開位置に向かってチンガードが回転する。
【０００９】
さらに、支持軸回りにチンガードが全開位置に向かって回転すると、接触子の少なくとも１つがカム面に形成された係止面と当接することにより、チンガードに回転に対する抵抗が作用する。この結果、チンガードの回転速度が低下または停止される。これにより、ヘルメット装着者はチンガードが全開位置寸前まで回転されたことを認識する。
【００１０】
続けて、装着者がチンガードを全開位置まで回動すると、接触子の少なくとも１つが係止面に係止された状態のまま、この接触子と別の少なくとも１つの接触子が凹部に嵌入されてチンガードが全開位置でヘルメット本体に対して固定される。
【００１１】
このように、チンガードが全閉位置から全開位置まで回転されることにより、支持軸に形成された接触子の少なくとも１つが、チンガードの基端部に形成された支持孔のカム面の凹部に嵌合することによって、チンガードがヘルメット本体に対して確実に固定される。すなわち、接触子が凹部に嵌合することによって、ヘルメット本体に対するチンガードのロック状態が確実とされる。
【００１２】
請求項２記載のヘルメットは、請求項１記載のヘルメットにおいて、前記カム面は、前記チンガードが前記全閉位置から前記全開位置方向に回転された場合に、回転に伴って前記接触子の少なくとも１つが当接されることにより前記チンガードを前方方向に押し出す偏心面をさらに有する。
【００１３】
請求項２記載のヘルメットは、カム面に偏心面を有することによって、支持軸回りにチンガードが全閉位置から全開位置に向かって回転すると、接触子の少なくとも１つがカム面に形成された偏心面上を相対的に移動することにより、チンガードが回転時にヘルメット前方側に移動される。すなわち、ヘルメット前方側に偏心しながらチンガードが回転する。この結果、シールドやチンガードが回転時にヘルメット本体と干渉することが防止される。
【００１４】
請求項３記載のヘルメットは、請求項１又は２記載のヘルメットにおいて、前記支持軸は、前記ヘルメット本体の外側面に取り付けられる支持板と、前記チンガードの前記基端部を挟んで支持板に取り付けられ、前記基端部の支持孔に形成されたカム面に当接される前記接触子が外周面に形成された軸部材と、を備える。
【００１５】
請求項３記載のヘルメットによれば、ヘルメット本体の外側面に支持板を取り付け、チンガードの基端部を挟持して支持板に軸部材を取り付ける。これにより、軸部材に形成された接触子をチンガードの基端部の支持孔に形成されたカム面に当接させることができる。すなわち、組立が容易になる。
【００１６】
請求項４記載のヘルメットは、請求項３記載のヘルメットにおいて、前記基端部には、前記支持板側に突出した突起部が形成されており、前記支持板の前記基端部側の面には前記チンガードが全開位置の直前になったときに前記突起部が係止される仮係止凹部が形成されている。
【００１７】
請求項４記載のヘルメットによれば、チンガードの基端部には、支持板側に突出形成された突起部が設けられている。一方、支持板の基端部側の面には支持板にはチンガードが全開位置の直前になったときに突起部が係止される仮係止凹部が設けられている。したがって、チンガードを全開位置まで回転させて接触子の少なくとも１つが凹部に嵌合して固定されるよりも手前の位置で、突起部を仮係止凹部に係止させることによってチンガードが全閉位置側に落下するのを防止しつつ、全開位置にロックさせるほどの力をいれずともチンガードをロックできるように構成している。すなわち、一時的にチンガードを開放させる場合の取り扱い性に優れる。
【００１８】
請求項５記載のヘルメットは、請求項３又は４のヘルメットにおいて、前記基端部には、前記支持板側に突出した突起部が形成されており、前記支持板の前記基端部側の面には前記チンガードが全開位置になったときに前記突起部が嵌合される本係止凹部が形成されている。
【００１９】
請求項５記載のヘルメットによれば、チンガードの基端部には、支持板側に突出形成された突起部が設けられている。一方、支持板の基端部側の面にはチンガードが全開位置になったときに突起部が嵌合される本係止凹部が形成されている。したがって、チンガードを全閉位置から全開位置に移動させると、ヘルメット本体の外側面に取り付けられた支持板の突起部が支持位置の基端部側の面に形成された本係止凹部に係止され、ヘルメット本体に対するチンガードの回転移動を停止させることができる。すなわち、支持軸の接触子の少なくとも１つがチンガードの孔部の凹部に嵌合されると共に、突起部が本係止凹部に嵌入されることによって、チンガードが全開位置でヘルメット本体に対して固定される。すなわち、チンガードのロック性能が一層向上する。
【発明の効果】
【００２０】
以上説明したように、本発明に係るヘルメットは、チンガードを全開させた場合のロック性能を向上させることができる。
【図面の簡単な説明】
【００２１】
【図１】本発明の実施形態に係るヘルメットのチンガード全閉状態を示す斜視図である。
【図２】本発明の実施形態に係るヘルメットのチンガード全開状態を示す斜視図である。
【図３】本発明の実施形態に係るヘルメットのチンガード全閉状態を示す一部省略側面図である。
【図４】本発明の実施形態に係るヘルメットのチンガード偏心状態を示す一部省略側面図である。
【図５】本発明の実施形態に係るヘルメットのチンガード仮係止（仮ロック）状態を示す一部省略側面図である。
【図６】本発明の実施形態に係るヘルメットのチンガード全開（本ロック）状態を示す一部省略側面図である。
【図７】本発明の実施形態に係るチンガード支持構造を示す斜め外側から視た一部省略分解斜視図である。
【図８】本発明の実施形態に係るチンガード支持構造を示す斜め内側から視た一部省略分解斜視図である。
【図９】本発明の実施形態に係る支持板の外側から視た側面図である。
【図１０】（Ａ）は、本発明の実施形態に係る支持板と全閉状態のシールドベースとの位置関係を示す側面図であり、（Ｂ）は、本発明の実施形態に係る全閉状態のシールドベースの孔部と軸部材の接触子との位置関係を示す部分断面図である。
【図１１】（Ａ）は、本発明の実施形態に係る支持板と偏心状態のシールドベースとの位置関係を示す側面図である。（Ｂ）は、本発明の実施形態に係る偏心状態のシールドベースの孔部と軸部材の接触子との位置関係を示す部分断面図である。
【図１２】（Ａ）は、本発明の実施形態に係る支持板と仮係止（仮ロック）状態のシールドベースとの位置関係を示す側面図であり、（Ｂ）は、本発明の実施形態に係る仮係止（仮ロック）状態のシールドベースの孔部と軸部材の接触子との位置関係を示す部分断面図である。
【図１３】（Ａ）は、本発明の実施形態に係る支持板と全開（本ロック）状態のシールドベースとの位置関係を示す側面図である。（Ｂ）は、本発明の実施形態に係る全開（本ロック）状態のシールドベースの孔部と軸部材の接触子との位置関係を示す部分断面図である。
【図１４】本発明の実施形態に係るシールドベースの孔部形状を示す側面図である。
【発明を実施するための形態】
【００２２】
本発明の一実施形態に係るヘルメットについて図１〜図１４を参照して説明する。なお、ヘルメットを使用している状態の装着者から見た前後方向前方側を矢印ＦＲで示し、右側及び左側をそれぞれ矢印ＲＨ及び矢印ＬＨで示し、上下方向上側を矢印ＵＰで示す。また、以下の説明で、単に前後、左右、上下の方向を示す場合は、ヘルメットを装着している状態の着用者から見た前後、左右、上下を示すものとする。
【００２３】
図１及び図２に示されるように、ヘルメット１０は、前方側に開口した開口部１２が形成されたヘルメット本体１４と、ヘルメット本体１４に対して後述する軸部材９０を中心として回転可能に取り付けられたチンガード１６と、ヘルメット本体１４と後述する全閉状態のチンガード１６で形成された窓部１８を閉塞すると共にヘルメット本体１４に対して軸部材９０を中心として回転可能に取り付けられたシールド２０とを備えている。
【００２４】
ヘルメット本体１４は、外側シェル２２の内側にライナーが取り付けられ、さらに、その内側にヘルメット装着者（以下、「装着者」という）の被り心地を良くするためのパッド２３などが装着されている。
【００２５】
ヘルメット本体１４の外側シェル２２の左右の両側部の取付部２４には、図３に示すように、支持軸を構成する支持板２６がそれぞれ装着されている。なお、取付部２４の構造は、左右対称で同様なので、以下左側のみを説明して右側の説明を省略する。
【００２６】
支持板２６は、図７〜図９に示されるように、側面視略円形の板体３０であり、板体３０の略中心に側面視長円形のボス３２が外（左）側に向かって突出形成されている。ここで、長円形とは、一対の平行な直線部分と直線部分の端部同士を結ぶ円弧部分とからなるものをいう。このボス３２の中心部には、板体３０の表側から裏側に貫通するネジ挿通用の円形の挿通孔３４が形成されている。側面視において、板体３０のボス３２の周囲には、後述する軸部材９０の接触子９６Ａ、９６Ｂ、９６Ｃがそれぞれ挿入される３個の長孔３６が形成されている。
【００２７】
また、支持板２６の板体３０には、３か所に凹部３８が形成されてりおり、凹部３８の底面にはネジ挿通孔３９が形成されている。したがって、凹部３８側からネジ挿通孔３９に図示しないネジが挿入されることにより、支持板２６がヘルメット本体１４（外側シェル２２）の取付部２４に取り付けられている。
【００２８】
さらに、板体３０には、２つの孔部４０、４２が形成されており、支持板２６の軽量化が図られている。
【００２９】
また、板体３０の外（左）側面３０Ａには、側面視において挿通孔３４の軸回りに矢印Ａ方向に向かって第１突起部４４、第２突起部４６、第３突起部４８（以下、「第１突起部４４〜第３突起部４８｝という）が順に形成されている。なお、板体３０において、第１突起部４４と第２突起部４６に挟まれた部分が仮係止凹部に相当し、第２突起部４６と第３突起部４８とに挟まれた部分が本係止凹部に相当する。
【００３０】
第１突起部４４は、軸回りの矢印Ｂ側が矢印Ａ側に向かって外側に傾斜した緩斜面５０とされ、軸回りの矢印Ａ側が矢印Ｂ側に向かって外側に傾斜した斜面５２とされている。なお、斜面５２の板体３０に対する傾斜角度は、緩斜面５０の板体３０に対する傾斜角度よりも大きい。
【００３１】
第２突起部４６は、ほぼ板体３０と略平行な頂面５４と、頂面５４の矢印Ａ方向側及び矢印Ｂ方向側に斜面５２よりも板体３０に対する傾斜角度が大きく、それぞれ矢印Ａ方向、矢印Ｂ方向に傾斜した急斜面５６、５８が形成されている。
【００３２】
第３突起部４８は、略矩形であるが、シールドベース７４のボス８２Ａが係止される矢印Ｂ側の面には、円筒形のボス８２Ａを係止するために円弧状の凹部６０が形成されている。
【００３３】
次に、チンガード１６について説明する。チンガード１６は、図１及び図２に示すように、略Ｕ字型に形成されたチンガード本体７０と、チンガード本体７０の左右両端部である基端部７２とを備えている。基端部７２は、左右で左右対称に構成されているため、左側の基端部７２のみを説明して、右側の説明を省略する。
【００３４】
基端部７２には、図３に示すように、支持板２６の外側に配設されるシールドベース７４が取り付けられている。シールドベース７４は、図７及び図８に示すように、側面視で略Ｊの字型に形成された取付部７６と、取付部７６の内側に形成された略平板状の回転中心部７８とを備えている。
【００３５】
取付部７６は、断面がＵ字型の溝８０が側面視で略Ｊ字型に沿って複数形成されており、基端部７２に形成された図示しない複数の凸条が挿入されることにより、シールドベース７４がチンガード本体７０に位置決めされる。
【００３６】
また、取付部７６の内側面には、図８に示すように、締結用のボス８２Ａ〜８２Ｄが所定間隔をおいて４ヶ所設けられている。各ボス８２Ａ〜８２Ｄには、それぞれネジ挿通用の孔部８４Ａ〜８４Ｄが形成されている。このネジ挿通用の孔部８４Ａ〜８４Ｄに図示しないネジが挿入され、チンガード本体７０に対して締結されることにより、シールドベース７４がチンガード本体７０に固定されている。
【００３７】
一方、回転中心部７８の中心には、支持板２６のボス３２が挿入されると共に、後述する軸部材９０の接触子９６Ａ、９６Ｂ、９６Ｃが挿入される孔部８６が形成されている。孔部８６の内周面が軸部材９０の接触子９６Ａ、９６Ｂ、９６Ｃが当接されるカム面８８とされている。なお、孔部８６の形状については後述する。
【００３８】
このシールドベース７４の外側（左側）には、軸部材９０が配設される。
【００３９】
軸部材９０は、図７及び図８に示されるように、外（左）側に位置する側面視略円形である円板部９２と、円板部９２の内側に連続して形成さされ円板部９２よりも縮径した側面視略円筒形のボス部９４と、ボス部９４の外周面から径方向外側に部分的に突出すると共にボス部９４から軸方向内（右）側にも突出して形成された３個の接触子９６Ａ、９６Ｂ、９６Ｃ（以下、「接触子９６Ａ〜９６Ｃ」という）を有する。
【００４０】
円板部９２の外（左）側面の中心部には凹部１０２が形成されており、凹部１０２の内（右）側底面には凹部１０２よりも縮径して軸方向に延在する挿通孔１００が形成されている。なお、円板部９２は、シールドベース７４の孔部８６に挿通できない形状とされている（孔部８６よりも大きい形状とされている）。
【００４１】
ボス部９４は、円板部９２よりも縮径した側面視略円筒形とされている。ボス部９４の中心には、挿通孔１００に連通して挿通孔１００よりも大きい長円形の孔部１０４が形成されている。孔部１０４は、支持板２６のボス３２の形状に対応した長円形の孔部である。
【００４２】
接触子９６Ａ〜９６Ｃは、側面視円形の円柱形であり、ボス部９４の外周面から一部が径方向外側に突出して形成されている。また、接触子９６Ａ〜９６Ｃの軸方向長さは、ボス部９４の軸方向長さよりも長く、接触子９６Ａ〜９６Ｃの内側端部がボス部９４から内（右）側に突出している。
【００４３】
ここで、軸部材９０のボス部９４をシールドベース７４の孔部８６に挿入することにより、３個の接触子９６Ａ〜９６Ｃが孔部８６の内周面に当接すると共に、ボス部９４から軸方向内側に突出した部分が支持板２６の長孔３６に挿入される。
【００４４】
これにより、支持板２６に対して軸部材９０が位置決めされ、軸部材９０の挿通孔１００、支持板２６の挿通孔３４にネジが挿入されて締結されることにより、軸部材９０が支持板（ヘルメット本体１４）に取り付けられている。
【００４５】
ここで、軸部材９０の接触子９６Ａ〜９６Ｃと、シールドベース７４の孔部８６との関係について図１０〜図１４を参照して詳細に説明する。
【００４６】
先ず、図１４を参照して、孔部８６の形状について詳細に説明する。図１４の孔部８６の向きは、チンガード１６が全閉状態のものである。なお、図１４において、「＋」マークは孔部８６の中心位置を示している（図１０（Ｂ）〜図１３（Ｂ）も同様である）。
【００４７】
孔部８６は、前方側に位置し、上下方向に略直線状に形成され下方で後方側に傾斜された第１湾曲面１１０と、第１湾曲面１１０の下端から径方向内側に傾斜した第１傾斜面１１２と、第１傾斜面１１２の後方側端部から接触子９６Ｂの一部が浅く嵌合するように径方向外側に凸に湾曲された第２湾曲面１１４と、第２湾曲面１１４の端部から大きく径方向外側に凸に湾曲された第３湾曲面１１６と、第３湾曲面１１６の端部から径方向内側に傾斜した第２傾斜面１１８と、第２傾斜面１１８の端部から径方向外側に凸に湾曲された第４湾曲面１２０と、第４湾曲面１２０の端部から接触子９６Ｃが嵌合するように径方向外側に凸に湾曲された第５湾曲面１２２と、第５湾曲面１２２の端部から第１湾曲面１１０に向かって径方向外側に傾斜する第３傾斜面１２４と、を備えている。なお、第１傾斜面１１２が係止面に相当し、第５湾曲面１２２が凹部に相当する。
【００４８】
孔部８６に軸部材９０が挿入された場合、図１０（Ｂ）〜図１２（Ｂ）に示すように、接触子９６Ａ〜９６Ｃは、チンガード１６（シールドベース７４）が回転しても、それぞれ孔部８６の内周面に当接した状態を維持する。具体的には、チンガード１６の回転時に第１湾曲面１１０に対して接触子９６Ａが当接したまま孔部８６と相対的に移動する。また、第２湾曲面１１４と第３湾曲面１１６に対して接触子９６Ｂが当接したまま孔部８６と相対的に移動する。さらに、第４湾曲面１２０及び第５湾曲面１２２に対して接触子９６Ｃが当接したまま孔部８６と相対的に移動する。
【００４９】
（作用及び効果）
本実施形態に係るヘルメット１０の作用及び効果について説明する。チンガード１６を全閉状態から全開状態に回転させる場合について説明する。
【００５０】
先ず、チンガード１６が全閉状態（図３の位置）の場合について説明する。この際、支持板２６に対してシールドベース７４が図１０（Ａ）に示す位置にあり、シールドベース７４の内側面７４Ａに形成されたボス８２Ａは支持板２６の第１突起部４４、第２突起部４６、第３突起部４８から遠く離間した位置にある。すなわち、ボス８２Ａを含むボス８２Ａ〜８２Ｄが第１突起部４４〜第３突起部４８と干渉しておらず、シールドベース７４は支持板２６に対して回転自在とされている。また、この際、孔部８６に挿入された軸部材９０は、図１０（Ｂ）に示すように、接触子９６Ａが第１湾曲面１１０の上端部の第３傾斜面１２４に当接された状態とされている。また、接触子９６Ｂが湾曲面１１４に嵌合された状態とされている。ただし、湾曲面１１４は側面視で円形の接触子９６Ｂの僅かな部分を嵌合させているだけなので、シールドベース７４に回転モーメントが作用すればシールドベース７４の回転運動を阻害するものではない。さらに、接触子９６Ｃは第４湾曲面１２０の第２傾斜面１１８側の端部に位置している。すなわち、接触子９６Ａ〜９６Ｃが上記の位置に位置することによって、シールドベース７４（チンガード１６）を矢印Ｒ２方向に回転不能とすると共に、矢印Ｒ１方向に回転可能としている。
【００５１】
チンガード１６を全開方向に向けて回転させ始めると、図１１（Ｂ）に示すように、第３傾斜面１２４側から第１傾斜面１１２側に向かって第１湾曲面１１０上を接触子９６Ａが相対的に移動する。同様に、接触子９６Ｂが第２湾曲面１１４から抜け出して第３湾曲面１１６を第２傾斜面１１８側に相対的に移動する。さらに、接触子９６Ｃが第４湾曲面１２０を第５湾曲面１２２側に相対的に移動する。これによって、シールドベース７４が矢印Ｒ１方向に回転しつつ、前方側に移動する。すなわち、図４に示すように、チンガード１６やシールドベース７４が前方に移動しつつ上方（矢印Ｒ１方向）に回転する（偏心運動をする）。
【００５２】
この際、支持板２６に対してシールドベース７４が図１１（Ａ）に示す位置にあり、シールドベース７４のボス８２Ａは支持板２６の第１突起部４４、第２突起部４６、第３突起部４８から離間した位置にある。すなわち、シールドベース７４の回転が支持板２６によって干渉されることはない。
【００５３】
これにより、チンガード１６を上昇（回転）させる際に、シールド２０やチンガード１６がヘルメット本体１４の窓部１８の上縁部等と干渉することが防止される。
【００５４】
さらに、チンガード１６（シールドベース７４）を矢印Ｒ１方向に回転させることにより、図１２（Ｂ）に示すように、接触子９６Ａが径方向内側に傾斜して形成された第１傾斜面１１２に当接されると共に、接触子９６Ｂが第２傾斜面１１８に当接されることにより、シールドベース７４の回転が一旦、停止される。また、相対回転が一旦停止される。これにより、接触子９６Ｃも第４湾曲面１２０の第５湾曲面１２２側端部で相対移動が一旦停止される。
【００５５】
また、シールドベース７４の回転により、シールドベース７４のボス８２Ａは、第１突起部４４の緩斜面５０を上り、斜面５２を下がることによって、第１突起部４４と第２突起部４６との間に係止されることになる（図１２（Ａ）参照）。ここで、支持板２６は、薄い樹脂製の板体であるため、第１突起部４４上をボス８２Ａが相対的に移動することによって、ボス８２Ａが支持板２６を内側に押圧することになるが、可撓性を有する支持板２６が変形することによって押圧作用を吸収する。
【００５６】
このように、接触子９６Ａのカム面８８に対する相対回転が第１傾斜面１１２で係止されると共に、ボス８２Ａが第１突起部４４と第２突起部４６の間（具体的には第２突起部４６）に係止されることによって、シールドベース７４の矢印Ｒ１方向への回転が一旦停止される。
【００５７】
また、ボス８２Ａが第１突起部４４と第２突起部４６の間（具体的には第１突起部４４）に係止されることによってシールドベース７４の矢印Ｒ２方向への回転が防止される。すなわち、チンガード１６は図５に示す位置で仮係止される（仮ロックが行われる）。したがって、装着者は一定の力でチンガード１６及びシールド２０を上昇回転させることにより、チンガード１６を簡単に仮係止させて開口部１２を開放させることができると共に、チンガード１６及びシールド２０がその重量によって落下することを防止できる。
【００５８】
一方、チンガード１６及びシールド２０を開放したまま走行する場合には、装着者がさらに力を入れてチンガード１６を矢印Ｒ１方向に回転させることにより、図１３（Ｂ）に示すように、接触子９６Ｂが第２傾斜面１１８を径方向内側に相対的に移動し、接触子９６Ｃが第４湾曲面１２０の端部から第５湾曲面１２２の内部に嵌合する。なお、接触子９６Ａは第１傾斜面１１２によって係止されたままなので変位しない。このように、接触子９６Ａが第１傾斜面１１２によって係止され、接触子９６Ｃが第５湾曲面１２２に嵌合された状態となるため、シールドベース７４、すなわちチンガード１６の回転が停止され、ロックされる（本ロックされる）。
【００５９】
また、シールドベース７４のボス８２Ａも、図１３（Ａ）に示すように、支持板２６の第２突起部４６の急斜面５６の上って乗り越し、第２突起部４６と第３突起部４８の間に嵌合する。この際、ボス８２Ａの外周面の一部が第３突起部４８の凹部６０に嵌合することによって第２突起部４６と第３突起部４８間に安定して嵌合される。
【００６０】
このように、装着者がチンガード１６の仮ロック状態からさらに力を入れてチンガード１６を矢印Ｒ１方向に回転させることにより、図６に示すように、チンガード１６をヘルメット本体１４に本ロックすることができる。すなわち、軸部材９０の接触子９６Ｃを第５湾曲面１２２に嵌合させることよって、また、シールドベース７４のボス８２Ａと支持板２６の第２突起部４６、第３突起部４８によってロックされるため、走行中にチンガード１６とシールド２０が全閉位置に向かって落下してくることを確実に防止することができる。
【００６１】
このように、本実施形態のヘルメット１０では、チンガード１６と共に回転するシールドベース７４の孔部８６のカム面８８に、チンガード１６をロック（本ロック）するための第５湾曲面１２２を設けたため、接触子９６Ｃが嵌合することにより、チンガード１６のロック性能を向上させることができる。
【００６２】
特に、この孔部８６は、チンガード１６及びシールド２０を全開させるときに、チンガード１６及びシールド２０を前方側に偏心運動させるために設けられたカム面として設けられたものであり、この形状を工夫することによって部品点数を増加させることなく、ロック機能を向上させている。
【００６３】
また、支持板２６に第１突起部４４、第２突起部４６、第３突起部４８を設けたことによって、仮ロック時には第１突起部４４と第２突起部４６の間にシールドベース７４のボス８２Ａを挿入させることによって仮ロックを可能とすると共に、第２突起部４６に隣接して第３突起部４８を増加させることにより第２突起部４６と第３突起部４８の間にボス８２Ａを挿入することで、本ロックを可能としたものである。
【００６４】
すなわち、仮ロック用に設けられていた支持板２６の第１突起部４４、第２突起部４６に並べて第３突起部４８を設けることによって仮ロックだけでなく、本ロック時にも支持板２６とシールドベース７４間でもロックさせることができる。すなわち、部品点数を増加させることになく、本ロック時のロック性能を一層向上させることができる。
【００６５】
また、本ロックの前に仮ロック可能としているため、装着者が飲食や喫煙等の一時的な開口部１２の開放の場合には、仮ロック状態での使用で済むとう利点がある。
【００６６】
なお、本実施形態のシールドベース７４の孔部８６のカム面８８の形状については、本実施形態に限定されるものとではない。すなわち、カム面８８にチンガード１６を偏心運動させる面と、チンガード１６の全開前にシールドベース７４と軸部材９０（接触子９６Ａ〜９６Ｃ）との相対回転運動に対して抵抗を付与する面と、全開時に接触子９６Ａ〜９６Ｃの少なくとも１つが嵌合することにより、チンガード１６をヘルメット本体１４にロックさせる面（凹部）が形成されているものであれば、その具体的形状を特に限定するものではない。
【００６７】
さらに、カム面８８にチンガード１６を偏心運動させる面がなくても良い。すなわち、チンガード１６の偏心運動は他の機構で達成する構成でも良い。
【００６８】
なお、本実施形態の説明では、主に、自動二輪の乗車用ヘルメットを例に説明してきたが、上記のように、チンガード１６をヘルメット本体１４に対して開閉可能なヘルメットであれば、本実施形態のヘルメットを用いることができる。すなわち、自転車用、スポーツ用、スノーモービル用、水上スキー用などのヘルメットに利用可能である。
【００６９】
以上、本発明の一実施形態について説明したが、本発明は、上記に限定されるものでなく、その主旨を逸脱しない範囲内において上記以外にも種々変形して実施することが可能であることは勿論である。
【符号の説明】
【００７０】
１０  ヘルメット
１４  ヘルメット本体
１６  チンガード
２６  支持板
７４  シールドベース（基端部）
８２Ａ  ボス部（突起部）
８６  孔部（支持孔）
８８  カム面
９０  軸部材（支持軸）
９６Ａ  接触子
９６Ｂ  接触子
９６Ｃ  接触子
１１２  第１傾斜面（係止面）
１２２  第５湾曲面（凹部）
【図１】
2018193657.tif 000003
【図２】
2018193657.tif 000004
【図３】
2018193657.tif 000005
【図４】
2018193657.tif 000006
【図５】
2018193657.tif 000007
【図６】
2018193657.tif 000008
【図７】
2018193657.tif 000009
【図８】
2018193657.tif 000010
【図９】
2018193657.tif 000011
【図１０】
2018193657.tif 000012
【図１１】
2018193657.tif 000013
【図１２】
2018193657.tif 000014
【図１３】
2018193657.tif 000015
【図１４】
2018193657.tif 000016